(57)【特許請求の範囲】
【請求項１】
ニコチアナ・アンブラチカ（Ｎｉｃｏｔｉａｎａ  ｕｍｂｒａｔｉｃａ）とニコチアナ・カワカミイ（Ｎｉｃｏｔｉａｎａ  ｋａｗａｋａｍｉｉ）とのＦ１ハイブリッド、またはその部分。
【請求項２】
前記部分が、葉、茎、根、種子、花、花粉、葯、胚珠、小花柄、分裂組織、子葉、胚軸、内鞘、胚、胚乳、外植片、カルス、組織培養物、芽、細胞、およびプロトプラストからなる群から選択される、請求項１に記載のＦ１ハイブリッド、またはその部分。
【請求項３】
種子親がニコチアナ・アンブラチカであり、花粉親がニコチアナ・カワカミイである、請求項１または２に記載のＦ１ハイブリッド、またはその部分。
【請求項４】
花粉親がニコチアナ・アンブラチカであり、種子親がニコチアナ・カワカミイである、請求項１または２に記載のＦ１ハイブリッド、またはその部分。
【請求項５】
草丈に対する最下部の花の高さの割合（％）が、ニコチアナ・アンブラチカよりも増加している、請求項１−４のいずれか１項に記載のＦ１ハイブリッド、またはその部分。
【請求項６】
１株あたりの花数が、ニコチアナ・アンブラチカよりも少ない、請求項１−５のいずれか１項に記載のＦ１ハイブリッド、またはその部分。
【請求項７】
最大葉の葉長、葉幅、あるいは、最大葉の葉長および葉幅の双方が、ニコチアナ・アンブラチカよりも長い、請求項１−６のいずれか１項に記載のＦ１ハイブリッド、またはその部分。
【請求項８】
分枝数が、ニコチアナ・アンブラチカよりも減少している、請求項１−７のいずれか１項に記載のＦ１ハイブリッド、またはその部分。
【請求項９】
地上部の収量が、ニコチアナ・アンブラチカよりも増加している、請求項１−８のいずれか１項に記載のＦ１ハイブリッド、またはその部分。
【請求項１０】
乾燥葉の収量が、ニコチアナ・アンブラチカよりも増加している、請求項１−９のいずれか１項に記載のＦ１ハイブリッド、またはその部分。
【請求項１１】
食葉性害虫に対する耐虫性が、ニコチアナ・カワカミイよりも向上している、請求項１−１０のいずれか１項に記載のＦ１ハイブリッド、またはその部分。
【請求項１２】
食葉性害虫に対する耐虫性が、ニコチアナ・カワカミイおよびニコチアナ・アンブラチカの双方よりも向上している、請求項１−１１のいずれか１項に記載のＦ１ハイブリッド、またはその部分。
【請求項１３】
貯蔵たばこ害虫に対する耐虫性が、ニコチアナ・カワカミイよりも向上している、請求項１−１２のいずれか１項に記載のＦ１ハイブリッド、またはその部分。
【請求項１４】
貯蔵たばこ害虫に対する耐虫性が、ニコチアナ・カワカミイおよびニコチアナ・アンブラチカの双方よりも向上している、請求項１−１３のいずれか１項に記載のＦ１ハイブリッド、またはその部分。
【請求項１５】
食葉性害虫が，タバコガ（ｏｒｉｅｎｔａｌ  ｔｏｂａｃｃｏ  ｂｕｄｗｏｒｍ，Ｈｅｌｉｃｏｖｅｒｐａ  ａｓｓｕｌｔａ）、ニセアメリカタバコガ（ｔｏｂａｃｃｏ  ｂｕｄｗｏｒｍ，Ｈｅｌｉｏｔｈｉｓ  ｖｉｒｅｓｃｅｎｓ）、オオタバコガ（ｃｏｔｔｏｎ  ｂｏｌｌｗｏｒｍ，Ｈｅｌｉｃｏｖｅｒｐａ  ａｒｍｉｇｅｒａ）、タバコスズメガ（ｔｏｂａｃｃｏ  ｈｏｒｎｗｏｒｍ，Ｍａｎｄｕｃａｓｅｘｔａ）、ハスモンヨトウ（Ｓｐｏｄｏｐｔｅｒａ  ｌｉｔｕｒａ）およびシロイモジヨトウ（Ｓｐｏｄｏｐｔｅｒａ  ｅｘｉｇｕａ）からなる群から選択される、請求項１１または１２に記載のＦ１ハイブリッド、またはその部分。
【請求項１６】
ニコチアナ・アンブラチカとニコチアナ・カワカミイとを交配することを含む、Ｆ１ハイブリッドを作成する方法。
【請求項１７】
種子親がニコチアナ・アンブラチカであり、花粉親がニコチアナ・カワカミイである、請求項１６に記載の方法。
【請求項１８】
花粉親がニコチアナ・アンブラチカであり、種子親がニコチアナ・カワカミイである、請求項１６に記載の方法。
【請求項１９】
ニコチアナ・アンブラチカとニコチアナ・カワカミイとを交配後、草丈に対する最下部の花の高さの割合（％）がニコチアナ・アンブラチカよりも増加しているＦ１ハイブリッド、を選抜する工程をさらに含む、請求項１６−１８のいずれか１項に記載の方法。
【請求項２０】
ニコチアナ・アンブラチカとニコチアナ・カワカミイとを交配後、１株あたりの花数がニコチアナ・アンブラチカよりも少ないＦ１ハイブリッド、を選抜する工程をさらに含む、請求項１６−１８のいずれか１項に記載の方法。
【請求項２１】
ニコチアナ・アンブラチカとニコチアナ・カワカミイとを交配後、最大葉の葉長、葉幅、あるいは、最大葉の葉長および葉幅の双方が、ニコチアナ・アンブラチカよりも長いＦ１ハイブリッド、を選抜する工程をさらに含む、請求項１６−１８のいずれか１項に記載の方法。
【請求項２２】
ニコチアナ・アンブラチカとニコチアナ・カワカミイとを交配後、分枝数が、ニコチアナ・アンブラチカよりも減少しているＦ１ハイブリッド、を選抜する工程をさらに含む、請求項１６−１８のいずれか１項に記載の方法。
【請求項２３】
ニコチアナ・アンブラチカとニコチアナ・カワカミイとを交配後、地上部の収量が、ニコチアナ・アンブラチカよりも増加しているＦ１ハイブリッド、を選抜する工程をさらに含む、請求項１６−１８のいずれか１項に記載の方法。
【請求項２４】
ニコチアナ・アンブラチカとニコチアナ・カワカミイとを交配後、乾燥葉の収量が、ニコチアナ・アンブラチカよりも増加しているＦ１ハイブリッド、を選抜する工程をさらに含む、請求項１６−１８のいずれか１項に記載の方法。
【請求項２５】
請求項１−１５のいずれか１項に記載のＦ１ハイブリッド、またはその部分、あるいは、これらの抽出物を含む組成物。
【請求項２６】
カットフィラー、粉末、シート、または溶液の形態である、請求項２５に記載の組成物。
【請求項２７】
請求項１−１５のいずれか１項に記載のＦ１ハイブリッド、またはその部分、あるいは、これらの抽出物を含む、製品。
【請求項２８】
請求項２５または請求項２６の組成物を含む、製品。
【請求項２９】
たばこ製品、香料、農薬、および医薬品からなる群から選択される、請求項２７または２８に記載の製品。
【請求項３０】
請求項１−１５のいずれか１項に記載のＦ１ハイブリッド、またはその部分、あるいは、これらの抽出物の、組成物または製品を製造するための使用。
【発明の詳細な説明】
【技術分野】
【０００１】
本発明は、ニコチアナ属Ｆ１ハイブリッドおよびその利用に関する。
【背景技術】
【０００２】
１．ニコチアナ属の植物
ニコチアナ属（ｇｅｎｕｓ  Ｎｉｃｏｔｉａｎａ）（「タバコ属」とも呼称される）の植物は、南・北アメリカ大陸、オーストラリア大陸およびアフリカ大陸にも広く分布しており、現在、７０種以上が報告されている。最もよく知られているのは、たばこ製品の原料として用いられている栽培種タバコ（Ｎｉｃｏｔｉａｎａ  ｔａｂａｃｕｍ）とニコチアナ・ルスチカ（Ｎｉｃｏｔｉａｎａ  ｒｕｓｔｉｃａ）の２種である。【０００３】
上記２種以外のニコチアナ属の野生種については、野生種同士の交配により得られた植物を材料としたものを含めて遺伝学的解析や病害抵抗性の解析に関しては多数報告されている。例えば、Ｔａｋｅｎａｋａ，Ｊａｐ．Ｊｏｕｒ．Ｇｅｎｅｔ．３１．１５５−１６１，１９５６；ＭＵＬＫＨ  ＲＡＪ  ＡＨＵＪＡ，Ｇｅｎｅｔｉｃａ  ４７，８６５−８８０，１９６２。野生種そのものをたばこ製品の原料として利用する報告はあるものの数は少ない。例えば、米国特許第７，７９８，１５３号。しかしながら、野生種同士を交配して得られるＦ１ハイブリッド植物をたばこ製品に用いるという報告はこれまでのところ見つかっていない。【０００４】
２．ニコチアナ・アンブラチカ（Ｎｉｃｏｔｉａｎａ  ｕｍｂｒａｔｉｃａ）
「ニコチアナ・アンブラチカ」（Ｎｉｃｏｔｉａｎａ  ｕｍｂｒａｔｉｃａ）は、西オーストラリア州北西部に分布するニコチアナ属の種である。草丈は５０−６０ｃｍ程度で細い茎を多数分枝して茂る一年草で、全体に腺毛が生え粘つき、強い香りが漂う。葉身は長さ８ｃｍ位の広い卵形で、葉のある枝先と腋生の枝先に総状花序状に多くの花をつける。主アルカイドはニコチン。うどんこ病、べと病（普通系）に抵抗性である（タバコ属植物図鑑、日本たばこ産業株式会社（編集）、１８０−１８３頁，１９９４年３月、株式会社誠文堂新光社）。ニコチアナ・アンブラチカは、このような特徴的な強い香りを有することから、たばこ製品の原料として好ましいと考えられる。しかしながら、ニコチアナ・アンブラチカをたばこ製品の原料として利用するという報告はこれまでのところ見つかっていない。【０００５】
一方で、ニコチアナ・アンブラチカを実験材料とした遺伝学的な解析等は多数の文献で報告されている。例えば、Ｕ．Ｓｕｂｈａｓｈｉｎｉらは、ニコチアナ・アンブラチカとニコチアナ属の他の野生種との交配を行ったことを報告している（Ｕ．Ｓｕｂｕｓｈｉｎｉ，Ｅｕｐｈｙｔｉｃａ，２３，２８９−２９３，１９７４；Ｕ．Ｓｕｂｕｓｈｉｎｉ  ａｔ  ａｌ．，Ｃｙｔｏｌｏｇｉａ  ３９，４０３−４０９，１９７４；Ｕ．Ｓｕｂｕｓｈｉｎｉ  ａｔ  ａｌ．，Ｃｙｔｏｌｏｇｉａ  ４０，４０９−４１３，１９７５）。【０００６】
３．ニコチアナ・カワカミイ（Ｎｉｃｏｔｉａｎａ  ｋａｗａｋａｍｉｉ）
「ニコチアナ・カワカミイ」（Ｎｉｃｏｔｉａｎａ  ｋａｗａｋａｍｉｉ）は、１９６８年にボリビアで、川上嘉通らによって発見されたニコチアナ属の種である。原産地では高さ４ｍ位の半木本性低木で、茎は粘つき、先端部は赤紫である。葉は長さ６０ｃｍ程の広い楕円形。円錐花序の枝は太く、広がり、枝先に蕾と花を渦巻き状につけ、濃赤紫色の▲さく▼果が並んでつく。着葉も密である。花の数は少数であり、植物体の上部にまとまってつく。主アルカイドはノルニコチン。うどんこ病、ＰＶＹに抵抗性である（タバコ属植物図鑑、日本たばこ産業株式会社（編集）、１８０−１８３頁，１９９４年３月、株式会社誠文堂新光社）。ＵＳ  Ｓｍｏｋｅｌｅｓｓ  Ｔｏｂａｃｃｏ  Ｃｏ．への米国特許第７，７９８，１５３号においてたばこ製品への利用が報告されているが、ニコチアナ・カワカミイを片親に用いたＦ１ハイブリッドをたばこ製品に利用する報告はこれまでのところ見つかっていない。
【先行技術文献】
【特許文献】
【０００７】
【特許文献１】米国特許第７，７９８，１５３号
【非特許文献】
【０００８】
【非特許文献１】Ｔａｋｅｎａｋａ，Ｊａｐ．Ｊｏｕｒ．Ｇｅｎｅｔ．３１．１５５−１６１，１９５６
【非特許文献２】ＭＵＬＫＨ  ＲＡＪ  ＡＨＵＪＡ，Ｇｅｎｅｔｉｃａ  ４７，８６５−８８０，１９６２
【非特許文献３】タバコ属植物図鑑、日本たばこ産業株式会社（編集）、１８０−１８３頁，１９９４年３月、株式会社誠文堂新光社
【非特許文献４】Ｕ．Ｓｕｂｕｓｈｉｎｉ，Ｅｕｐｈｙｔｉｃａ，２３，２８９−２９３，１９７４
【非特許文献５】Ｕ．Ｓｕｂｕｓｈｉｎｉ  ａｔ  ａｌ．，Ｃｙｔｏｌｏｇｉａ  ３９，４０３−４０９，１９７４
【非特許文献６】Ｕ．Ｓｕｂｕｓｈｉｎｉ  ａｔ  ａｌ．，Ｃｙｔｏｌｏｇｉａ  ４０，４０９−４１３，１９７５
【非特許文献７】ＢＵＬＬＥＴＩＮ  ＯＦ  ＴＨＥ  ＩＷＡＴＡ  ＴＯＢＡＣＣＯ  ＥＸＰＥＲＩＭＥＮＴ  ＳＴＡＴＩＯＮ、磐田たばこ試験場報告第１７号、１−６９頁、昭和６０年３月
【発明の概要】
【発明が解決しようとする課題】
【０００９】
ニコチアナ・アンブラチカをたばこ製品の原料として利用しようとする場合、（ｉ）植物体が小さく収量性が低い、（ｉｉ）腋芽／分枝毎に花芽が形成されることから、通常のタバコ栽培で葉の充実を図るために実施している心止作業（花芽の切除）が煩雑、などの大きな問題がある。上記文献から得られる情報からでは、ニコチアナ・アンブラチカの特性を損なわずに、これらの問題を解決する手段は不明である。【００１０】
一つの解決手段として、ニコチアナ・アンブラチカと他のニコチアナ属の植物とを交配して得られるＦ１ハイブリッドを利用することが想定されるが、交配の組合せによっては交配種子が得られない、交配種子が得られても発芽しない等の問題が生じる。さらに、ニコチアナ・アンブラチカの特徴的な強い香りを損なわずに、収量性および心止作業の煩雑性が改善されたＦ１ハイブリッドを得るという条件を満たす交配相手を選び出すのは多くの労力を必要とする。【００１１】
本発明の課題はニコチアナ・アンブラチカの特徴的な強い香りを損なうことなく、収量性および心止作業の煩雑性が改善されたＦ１ハイブリッド植物およびその作成方法を提供することである。【００１２】
本発明者は、ニコチアナ・アンブラチカと複数のニコチアナ属野生種との交配を行い、得られたＦ１ハイブリッドの特性を詳細に調べ、ニコチアナ・アンブラチカとニコチアナ・カワカミイとの組み合わせによるＦ１ハイブリッドがたばこ製品の原料を得るのに優れた性質を有することを見出し、本発明を想到した。
【課題を解決するための手段】
【００１３】
限定されるわけではないが、本発明は以下の態様を含む。
［態様１］
ニコチアナ・アンブラチカ（Ｎｉｃｏｔｉａｎａ  ｕｍｂｒａｔｉｃａ）とニコチアナ・カワカミイ（Ｎｉｃｏｔｉａｎａ  ｋａｗａｋａｍｉｉ）とのＦ１ハイブリッド、またはその部分。
［態様２］
前記部分が、葉、茎、根、種子、花、花粉、葯、胚珠、小花柄、分裂組織、子葉、胚軸、内鞘、胚、胚乳、外植片、カルス、組織培養物、芽、細胞、およびプロトプラストからなる群から選択される、態様１に記載のＦ１ハイブリッド、またはその部分。
［態様３］
種子親がニコチアナ・アンブラチカであり、花粉親がニコチアナ・カワカミイである、態様１または２に記載のＦ１ハイブリッド、またはその部分。
［態様４］
花粉親がニコチアナ・アンブラチカであり、種子親がニコチアナ・カワカミイである、態様１または２に記載のＦ１ハイブリッド、またはその部分。
［態様５］
草丈に対する最下部の花の高さの割合（％）が、ニコチアナ・アンブラチカよりも増加している、態様１−４のいずれか１項に記載のＦ１ハイブリッド、またはその部分。
［態様６］
１株あたりの花数が、ニコチアナ・アンブラチカよりも少ない、態様１−５のいずれか１項に記載のＦ１ハイブリッド、またはその部分。
［態様７］
最大葉の葉長、葉幅、あるいは、最大葉の葉長および葉幅の双方が、ニコチアナ・アンブラチカよりも長い、態様１−６のいずれか１項に記載のＦ１ハイブリッド、またはその部分。
［態様８］
分枝数が、ニコチアナ・アンブラチカよりも減少している、態様１−７のいずれか１項に記載のＦ１ハイブリッド、またはその部分。
［態様９］
地上部の収量が、ニコチアナ・アンブラチカよりも増加している、態様１−８のいずれか１項に記載のＦ１ハイブリッド、またはその部分。
［態様１０］
乾燥葉の収量が、ニコチアナ・アンブラチカよりも増加している、態様１−９のいずれか１項に記載のＦ１ハイブリッド、またはその部分。
［態様１１］
食葉性害虫に対する耐虫性が、ニコチアナ・カワカミイよりも向上している、態様１−１０のいずれか１項に記載のＦ１ハイブリッド、またはその部分。
［態様１２］
食葉性害虫に対する耐虫性が、ニコチアナ・カワカミイおよびニコチアナ・アンブラチカの双方よりも向上している、態様１−１１のいずれか１項に記載のＦ１ハイブリッド、またはその部分。
［態様１３］
貯蔵たばこ害虫に対する耐虫性が、ニコチアナ・カワカミイよりも向上している、態様１−１２のいずれか１項に記載のＦ１ハイブリッド、またはその部分。
［態様１４］
貯蔵たばこ害虫に対する耐虫性が、ニコチアナ・カワカミイおよびニコチアナ・アンブラチカの双方よりも向上している、態様１−１３のいずれか１項に記載のＦ１ハイブリッド、またはその部分。
［態様１５］
食葉性害虫が，タバコガ（ｏｒｉｅｎｔａｌ  ｔｏｂａｃｃｏ  ｂｕｄｗｏｒｍ，Ｈｅｌｉｃｏｖｅｒｐａ  ａｓｓｕｌｔａ）、ニセアメリカタバコガ（ｔｏｂａｃｃｏ  ｂｕｄｗｏｒｍ，Ｈｅｌｉｏｔｈｉｓ  ｖｉｒｅｓｃｅｎｓ）、オオタバコガ（ｃｏｔｔｏｎ  ｂｏｌｌｗｏｒｍ，Ｈｅｌｉｃｏｖｅｒｐａ  ａｒｍｉｇｅｒａ）、タバコスズメガ（ｔｏｂａｃｃｏ  ｈｏｒｎｗｏｒｍ，Ｍａｎｄｕｃａｓｅｘｔａ）、ハスモンヨトウ（Ｓｐｏｄｏｐｔｅｒａ  ｌｉｔｕｒａ）およびシロイモジヨトウ（Ｓｐｏｄｏｐｔｅｒａ  ｅｘｉｇｕａ）からなる群から選択される、態様１１または１２に記載のＦ１ハイブリッド、またはその部分。
［態様１６］
ニコチアナ・アンブラチカとニコチアナ・カワカミイとを交配することを含む、Ｆ１ハイブリッドを作成する方法。
［態様１７］
種子親がニコチアナ・アンブラチカであり、花粉親がニコチアナ・カワカミイである、態様１６に記載の方法。
［態様１８］
花粉親がニコチアナ・アンブラチカであり、種子親がニコチアナ・カワカミイである、態様１６に記載の方法。
［態様１９］
ニコチアナ・アンブラチカとニコチアナ・カワカミイとを交配後、草丈に対する最下部の花の高さの割合（％）がニコチアナ・アンブラチカよりも増加しているＦ１ハイブリッド、を選抜する工程をさらに含む、態様１６−１８のいずれか１項に記載の方法。
［態様２０］
ニコチアナ・アンブラチカとニコチアナ・カワカミイとを交配後、１株あたりの花数がニコチアナ・アンブラチカよりも少ないＦ１ハイブリッド、を選抜する工程をさらに含む、態様１６−１８のいずれか１項に記載の方法。
［態様２１］
ニコチアナ・アンブラチカとニコチアナ・カワカミイとを交配後、最大葉の葉長、葉幅、あるいは、最大葉の葉長および葉幅の双方が、ニコチアナ・アンブラチカよりも長いＦ１ハイブリッド、を選抜する工程をさらに含む、態様１６−１８のいずれか１項に記載の方法。
［態様２２］
ニコチアナ・アンブラチカとニコチアナ・カワカミイとを交配後、分枝数が、ニコチアナ・アンブラチカよりも減少しているＦ１ハイブリッド、を選抜する工程をさらに含む、態様１６−１８のいずれか１項に記載の方法。
［態様２３］
ニコチアナ・アンブラチカとニコチアナ・カワカミイとを交配後、地上部の収量が、ニコチアナ・アンブラチカよりも増加しているＦ１ハイブリッド、を選抜する工程をさらに含む、態様１６−１８のいずれか１項に記載の方法。
［態様２４］
ニコチアナ・アンブラチカとニコチアナ・カワカミイとを交配後、乾燥葉の収量が、ニコチアナ・アンブラチカよりも増加しているＦ１ハイブリッド、を選抜する工程をさらに含む、態様１６−１８のいずれか１項に記載の方法。
［態様２５］
態様１−１５のいずれか１項に記載のＦ１ハイブリッド、またはその部分、あるいは、これらの抽出物を含む組成物。
［態様２６］
カットフィラー、粉末、シート、または溶液の形態である、態様２５に記載の組成物。
［態様２７］
態様１−１５のいずれか１項に記載のＦ１ハイブリッド、またはその部分、あるいは、これらの抽出物を含む、製品。
［態様２８］
態様２５または態様２６の組成物を含む、製品。
［態様２９］
たばこ製品、香料、農薬、および医薬品からなる群から選択される、態様２７または２８に記載の製品。
［態様３０］
態様１−１５のいずれか１項に記載のＦ１ハイブリッド、またはその部分、あるいは、これらの抽出物の、組成物または製品を製造するための使用。
【発明の効果】
【００１４】
ニコチアナ・アンブラチカとニコチアナ・カワカミイとを交配させて得られたＦ１ハイブリッドは、ニコチアナ・アンブラチカの特徴的な香りを損なうことなく、ニコチアナ・アンブラチカよりも収量が増加、花部除去容易性が向上したＦ１ハイブリッドである。当該Ｆ１ハイブリッドの栽培管理に特別な技術・ノウハウは不要で、一般的な栽培種タバコとほぼ同様の管理で収穫まで容易に栽培することができる。【００１５】
ニコチアナ・アンブラチカとニコチアナ・カワカミイによる、野生種同士のＦ１ハイブリッドを作成し、ニコチアナ・アンブラチカの特徴的な香りを損なうことなく収量および花部除去容易性を向上させる当該Ｆ１ハイブリッドを利用することで、従来技術の問題点を大きく改善することができる。当該Ｆ１ハイブリッドはさらに、ニコチアナ・アンブラチカの虫による被摂食程度を大きく抑制することができる、という効果も有する。
【図面の簡単な説明】
【００１６】
【図１】図１は、ニコチアナ・アンブラチカとニコチアナ・カワカミイとのＦ１ハイブリッドタバコ植物（Ｆ１ハイブリッド）と、ニコチアナ・アンブラチカおよびニコチアナ・カワカミイの特徴を比較評価したものである。
【図２】図２は、Ｆ１ハイブリッド、ニコチアナ・アンブラチカおよびニコチアナ・カワカミイの植物体全体の写真、葉の写真、花の写真である。
【図３】図３は、Ｆ１ハイブリッド、ニコチアナ・アンブラチカの地上部の収量を棒グラフで示したものである。
【図４】図４は、Ｆ１ハイブリッド、ニコチアナ・アンブラチカの花数を棒グラフで示したものである。
【図５】図５は、Ｆ１ハイブリッド、ニコチアナ・アンブラチカの草丈に対する最下部の花の高さの割合（％）を棒グラフで示したものである。
【図６】図６は、実施例２−１のタバコガの幼虫に対する耐虫性の調査における、Ｆ１ハイブリッド、ニコチアナ・アンブラチカ、ニコチアナ・カワカミイおよび栽培種タバコ（品種：たいへい）の各株の葉の配置（左）、並びに、タバコガの幼虫を入れてから１日後の状態（右）を示す写真である。
【図７】図７は、実施例２−１における放虫後の葉の面積の放虫前の面積に対する割合（％）を示す棒グラフである。
【図８】図８は、実施例２−２のタバコガの幼虫に対する耐虫性の調査における、Ｆ１ハイブリッド、ニコチアナ・アンブラチカおよび栽培種タバコ（品種：たいへい）の各株の葉の配置（左）、並びに、タバコガの幼虫を入れてから１日後の状態（右）を示す写真である。
【図９】図９は、実施例２−２における放虫後の葉の面積の放虫前の面積に対する割合（％）を示す棒グラフである。
【図１０】図１０は、実施例２−３のタバコガの幼虫に対する耐虫性の調査における、Ｆ１ハイブリッド、ニコチアナ・アンブラチカおよびニコチアナ・カワカミイの各株の葉の配置（左）、並びに、タバコガの幼虫を入れてから１日後の状態（右）を示す写真である。
【図１１】図１１は、実施例２−３における放虫後の葉の面積の放虫前の面積に対する割合（％）を示す棒グラフである。
【図１２】図１２は、実施例２−４のタバコガの幼虫に対する耐虫性の調査における、Ｆ１ハイブリッドおよびニコチアナ・アンブラチカの各株の葉の配置（左）、並びに、タバコガの幼虫を入れてから１日後の状態（右）を示す写真である。
【図１３】図１３は、実施例２−４における放虫後の葉の面積の放虫前の面積に対する割合（％）を示す棒グラフである。
【図１４】図１４は、実施例３におけるＦ１ハイブリッドおよびニコチアナ・アンブラチカのテルペン化合物Ａの量（内部標準物質比）を示す棒グラフである。
【発明を実施するための形態】
【００１７】
非限定的に本発明は、以下の態様を含む。
【００１８】
１．Ｆ１ハイブリッド
本発明は、ニコチアナ・アンブラチカとニコチアナ・カワカミイとのＦ１ハイブリッド、またはその部分に関する。
【００１９】
「ニコチアナ・アンブラチカ」（Ｎｉｃｏｔｉａｎａ  ｕｍｂｒａｔｉｃａ）は、西オーストラリア州北西部に分布するニコチアナ属の種である。染色体数（２ｎ）は４６である。非限定的に、ニコチアナ・アンブラチカの草丈は５０−６０ｃｍ程度で細い茎を多数分枝して茂り、５〜１５ｃｍ程度の小さな葉が多数出る。枝先に総状花序状に多くの花をつける。非限定的に、ニコチアナ・アンブラチカは植物体全体で毛茸からの分泌量が多く粘つき、全体から強い香りが漂う。主なアルカイド成分はニコチンである。
【００２０】
「ニコチアナ・カワカミイ」（Ｎｉｃｏｔｉａｎａ  ｋａｗａｋａｍｉｉ）は、１９６８年にボリビアで、川上嘉通らによって発見された種である。染色体数（２ｎ）は２４である。非限定的に、ニコチアナ・カワカミイの草丈は平均２００ｃｍ以上になり、葉は大型である。主なアルカイド成分はノルニコチンである。
【００２１】
「Ｆ１ハイブリッド」とは、種や品種が異なる植物から産まれた子孫である。本明細書および特許請求の範囲における「Ｆ１ハイブリッド」は、雑種第一代（Ｆ１）のＦ１ハイブリッドを意味する。Ｆ１は、生物において、ある異なった対立遺伝子をホモで有する両親の交配の結果生じた、第一世代目の子孫である。Ｆ１は、両親の遺伝子をヘテロで有し、遺伝子型は均一である。染色体数（２ｎ）は３５である。
【００２２】
本発明における、Ｆ１ハイブリッドの部分とは、植物の成体の一部分のみならず、植物の種子から成体までのあらゆる態様を含む。
【００２３】
非限定的に、前記「部分」は、葉（葉身と葉柄を含む）、茎、根、種子、花、花粉、葯、胚珠、小花柄、分裂組織、子葉、胚軸、内鞘、胚、胚乳、外植片、カルス、組織培養物、芽、細胞、およびプロトプラストからなる群から選択される。好ましくは、葉、または茎である。
【００２４】
「葉柄」とは、植物において葉身と茎を接続している小さな柄である。「小花柄」とは、種子植物において、単弁花と花序につながる茎との間を繋ぐ短い柄である。「内鞘」とは、植物の組織で、根の中心の存在する木部と篩部を取り囲む細胞の層である。内鞘が分裂することにより側根が形成される。「外植片」とは、植物から切り出した胚の一部分を人工条件下で培養して得られた植物の組織片である。「カルス」は、固体培地上等で培養されている分化していない状態の植物細胞の塊である。「組織培養物」とは、植物の任意の組織を人工条件下で培養して得られた植物組織の培養物である。
【００２５】
Ｆ１ハイブリッドにおいて、ニコチアナ・アンブラチカとニコチアナ・カワカミイはいずれが種子親であっても、花粉親であっても良い。
【００２６】
一態様において、種子親がニコチアナ・アンブラチカであり、花粉親がニコチアナ・カワカミイである。別の一態様において、花粉親がニコチアナ・アンブラチカであり、種子親がニコチアナ・カワカミイである。より好ましくは、種子親がニコチアナ・アンブラチカであり、花粉親がニコチアナ・カワカミイである。
【００２７】
２．Ｆ１ハイブリッドの特徴
（１）花の除去の容易性
タバコ植物から、たばこ製品の製造に使用するために有用な葉、茎を含む地上部を効率よく採取するためには、タバコ植物から花を除去することが必要である。Ｆ１ハイブリッドは、ニコチアナ・アンブラチカと比較して、花の除去が容易である。
一態様において、Ｆ１ハイブリッドは、草丈に対する最下部の花の高さの割合（％）が、ニコチアナ・アンブラチカよりも増加している。草丈に対する最下部の花の高さの割合（％）は、好ましくは、２０％以上、３０％以上、４０％以上、５０％以上、６０％以上、６５％以上である。一態様において、草丈に対する最下部の花の高さの割合（％）が、４０％以上である。
【００２８】
一態様において、Ｆ１ハイブリッドは、ニコチアナ・アンブラチカと比較して１株あたりの花数が少ない。後述する実施例１において、Ｆ１ハイブリッドは、移植後約５０日の１株あたりの「花数」が、ニコチアナ・アンブラチカと比較して約１／５と減少した。Ｆ１ハイブリッドは、好ましくは、ニコチアナ・アンブラチカと比較して１株あたりの花数が、２／３以下、１／２以下、１／３以下、１／４以下、１／５以下である。
【００２９】
Ｆ１ハイブリッドは、花の数が少なく、かつ、上部に局在しているため、花の除去が容易である。
【００３０】
（２）地上部の収穫
Ｆ１ハイブリッドは、好ましくは、たばこ製品の製造に使用するために有用な葉、茎を含む地上部を、ニコチアナ・アンブラチカよりも多く収穫できる。
【００３１】
一態様において、Ｆ１ハイブリッドは、地上部の収量が、ニコチアナ・アンブラチカよりも増加している。
【００３２】
好ましくは、１株あたりの地上部の収量が、ニコチアナ・アンブラチカと比較して、１．２倍以上、１．５倍以上、１．８倍以上、２倍以上、２．１倍以上である。
【００３３】
一態様において、Ｆ１ハイブリッドは、乾燥葉の収量が、ニコチアナ・アンブラチカよりも増加している。「乾燥葉」とは、タバコ植物の葉に、凍結乾燥、加熱乾燥、日干乾燥、空気乾燥等の乾燥処理を施して、乾燥させた葉である。
【００３４】
一態様において、Ｆ１ハイブリッドは、最大葉の葉長、葉幅、あるいは、最大葉の葉長および葉幅の双方が、ニコチアナ・アンブラチカよりも長い。実施例１において、移植後９０日において、Ｆ１ハイブリッドは、最大葉の葉長、および、葉幅は、ニコチアナ・アンブラチカと比較して、約３倍であった。よって、Ｆ１ハイブリッドにおいて最大葉の葉長、葉幅、あるいは、最大葉の葉長および葉幅の双方が、ニコチアナ・アンブラチカと比較して、好ましくは、１．５倍、２倍、２．５倍、３倍である。
【００３５】
一態様において、Ｆ１ハイブリッドは、分枝数がニコチアナ・アンブラチカよりも減少している。一態様において、「分枝数」が葉数と同程度である。葉の収穫がニコチアナ・アンブラチカよりも容易である。また、一態様において、わき芽の伸長程度がニコチアナ・アンブラチカよりは低い。よって、Ｆ１ハイブリッドは、葉の収穫が容易である。
【００３６】
好ましい態様において、Ｆ１ハイブリッドはニコチアナ・アンブラチカと比較して地上部の収量が多く、また、葉の収穫が容易である。
【００３７】
（３）害虫に対する耐虫性
Ｆ１ハイブリッドは、好ましくは、害虫に対する強い耐性を有する。
【００３８】
一般に、野生種のニコチアナ・カワカミイは多くの害虫に対する耐虫性が弱く、ニコチアナ・アンブラチカは害虫に対する耐虫性が強いことが知られている。
【００３９】
一態様において、Ｆ１ハイブリッドは、食葉性害虫に対する耐虫性が、ニコチアナ・カワカミイよりも向上している。より好ましくは、Ｆ１ハイブリッドは、食葉性害虫に対する耐虫性が、ニコチアナ・カワカミイおよびニコチアナ・アンブラチカの双方よりも向上している。
【００４０】
一態様において、Ｆ１ハイブリッドは、貯蔵害虫に対する耐虫性が、ニコチアナ・カワカミイよりも向上している。より好ましくは、Ｆ１ハイブリッドは、貯蔵害虫に対する耐虫性が、ニコチアナ・カワカミイおよびニコチアナ・アンブラチカの双方よりも向上している。
【００４１】
一態様において、Ｆ１ハイブリッドは、食葉性害虫に対する耐虫性が、栽培種タバコよりも向上している。
一態様において、Ｆ１ハイブリッドは、貯蔵害虫に対する耐虫性が、栽培種タバコよりも向上している。
【００４２】
本明細書および特許請求の範囲において、「害虫」は、タバコ植物に害を及ぼす任意の虫の総称として使用する。食葉性害虫の例示として、タバコガ（ｏｒｉｅｎｔａｌ  ｔｏｂａｃｃｏ  ｂｕｄｗｏｒｍ，Ｈｅｌｉｃｏｖｅｒｐａ  ａｓｓｕｌｔａ）、ニセアメリカタバコガ（ｔｏｂａｃｃｏ  ｂｕｄｗｏｒｍ，Ｈｅｌｉｏｔｈｉｓ  ｖｉｒｅｓｃｅｎｓ），オオタバコガ（ｃｏｔｔｏｎ  ｂｏｌｌｗｏｒｍ，Ｈｅｌｉｃｏｖｅｒｐａ  ａｒｍｉｇｅｒａ）、タバコスズメガ（ｔｏｂａｃｃｏ  ｈｏｒｎｗｏｒｍ，Ｍａｎｄｕｃａ  ｓｅｘｔａ）、ハスモンヨトウ（Ｓｐｏｄｏｐｔｅｒａ  ｌｉｔｕｒａ）およびシロイモジヨトウ（Ｓｐｏｄｏｐｔｅｒａ  ｅｘｉｇｕａ）が含まれる。
【００４３】
「タバコガ」は、特にその幼虫（アオムシ）が、各種の農作物を摂食し、特に、タバコ、ピーマンなどのナス科植物、果物、花などの害虫として知られている。「アオムシ」は、チョウ目（鱗翅目、蝶や蛾）の幼虫のうち、長い毛で体を覆われておらず、緑色のものである。
【００４４】
貯蔵害虫の例として、タバコシバンムシ（Ｌａｓｉｏｄｅｒｍａ  ｓｅｒｒｉｃｏｒｎｅ）やチャマダラメイガ（Ｅｐｈｅｓｔｉａ  ｅｌｕｔｅｌｌａ）のようにタバコの乾燥葉を食べるものも含まれる。
【００４５】
（４）タバコに含まれる成分
Ｆ１ハイブリッドは、好ましくは、ニコチアナ・アンブラチカと比較して、特徴的な香味（タバコとして好ましい香味）に寄与する成分の全部または一部が、減少しない。タバコとして好ましい香りに寄与する成分とは、例えば、１−イソプロピル−５−（ヒドロキシメチル）−８−メチルトリシクロ［４．４．０．０２，８］デカ−４−エン、３−メチル吉草酸、４−メチルヘキサン酸等である。
【００４６】
よって、Ｆ１ハイブリッドは、ニコチアナ・アンブラチカの好ましい香味を保持したまま、たばこ製品、香料等の製品に使用可能である。
【００４７】
３．Ｆ１ハイブリッドを作成する方法
本発明は、一態様において、Ｆ１ハイブリッドを作成する方法を提供する。本発明の方法は、ニコチアナ・アンブラチカとニコチアナ・カワカミイとを交配することを含む。交配は、タバコ植物を交配するための公知の方法を用いることができる。
【００４８】
本発明のＦ１ハイブリッドの作成方法において、ニコチアナ・アンブラチカとニコチアナ・カワカミイはいずれが種子親であっても、花粉親であっても良い。
【００４９】
一態様において、種子親がニコチアナ・アンブラチカであり、花粉親がニコチアナ・カワカミイである。別の一態様において、花粉親がニコチアナ・アンブラチカであり、種子親がニコチアナ・カワカミイである。より好ましくは、種子親がニコチアナ・アンブラチカであり、花粉親がニコチアナ・カワカミイである。
【００５０】
本発明のＦ１ハイブリッドの作成方法の一態様において、ニコチアナ・アンブラチカとニコチアナ・カワカミイとを交配後、より好ましい特徴を有するＦ１ハイブリッドを選抜する工程を含んでもよい。Ｆ１ハイブリッドを選抜する工程は、非限定的に、草丈に対する最下部の花の高さの割合（％）、１株あたりの花数、最大葉の葉長、葉幅、あるいは、最大葉の葉長および葉幅の双方、分枝数、地上部の収量、乾燥葉の収量等の特徴に基づいて行うことが可能である。これらの特徴については、「２．Ｆ１ハイブリッドの特徴」の項目で記載した通りである。Ｆ１ハイブリッドを選抜する工程は、上記例示した特徴の複数に関し、複数の選抜工程を組み合わせて行ってもよい。複数の選抜工程を行う場合の順番は特に限定されない。
【００５１】
４．組成物
本発明は、一態様において、上記Ｆ１ハイブリッド、またはその部分、あるいは、これらの抽出物を含む組成物、を提供する。
【００５２】
組成物は、タバコ植物またはその部分をそのまま用いても、あるいは裁断、粉砕または磨砕して細片状、スラリー状、または微粉状としたものを用いてもよい。組成物は、タバコ植物またはその部分は、畑地などから収穫したものをそのまま用いても、所定期間屋内または屋外において水分を一部放散させたものを用いても、あるいは乾燥機などで水分をほとんど放散させたものを用いてもよい。
【００５３】
「抽出物」は、たばこ製品の香味を改善する目的やたばこ製品中の特定成分の含有量を低下させる目的で、タバコ植物由来の葉、茎などの材料を抽出して得られたものである。抽出方法は植物から精油や特定の成分等を抽出するための公知の方法を用いることができる。
【００５４】
組成物は、非限定的に、カットフィラー、粉末、シート、または溶液の形態である。
【００５５】
５．製品
上記のＦ１ハイブリッド、またはその部分、あるいは、これらの抽出物、並びに、Ｆ１ハイブリッド、またはその部分、あるいは、これらの抽出物を含む組成物は、ニコチアナ・アンブラチカに由来する特徴的な香味を有する。よって、一態様において、これらをたばこ製品等の原料に使用することにより、ニコチアナ・アンブラチカに由来する特徴的な香味を製品に付与することが可能である。
【００５６】
本発明は、一態様において、上記のＦ１ハイブリッド、またはその部分、あるいは、これらの抽出物を含む、製品を提供する。
【００５７】
本発明は、一態様において、上記のＦ１ハイブリッド、またはその部分、あるいは、これらの抽出物を含む組成物を含む、製品を提供する。非限定的に、製品には、たばこ製品、香料、農薬、医薬品を含む。
【００５８】
「たばこ製品」の種類は特に限定されない。紙巻きたばこ（シガレット）の他、葉巻、パイプたばこ、嗅ぎたばこ、噛みたばこ、細刻み、水たばこ等を含む。さらに、たばこを加熱し発生するエアロゾルをエアロゾル源として用いた加熱型香味吸引器、たばこを加熱せずにその香味を吸引する非加熱型香味吸引器なども含まれる。
【００５９】
香料、農薬の種類も限定されない。農薬は、例えば、「農作物等」を害する菌、線虫、だに、昆虫、ねずみその他の動植物またはウイルスの防除、農作物等の生理機能の増進または抑制、発芽抑制等を目的とする農薬が含まれる。香料、農薬、医薬品は、単独でも他の有効成分と一緒にも使用可能である。
【００６０】
本発明は一態様において、上記Ｆ１ハイブリッド、またはその部分、あるいは、これらの抽出物の、組成物または製品を製造するための使用を提供する。
【実施例】
【００６１】
以下、実施例に基づいて本発明を詳細に説明するが、本発明はこれらの実施例に限定されるものではない。当業者は本明細書の記載に基づいて容易に本発明に修飾・変更を加えることができ、それらは本発明の技術的範囲に含まれる。【００６２】
実施例１  ニコチアナ・アンブラチカとニコチアナ・カワカミイとのＦ１ハイブリッドの作成
本実施例では、ニコチアナ・アンブラチカとニコチアナ・カワカミイとのＦ１ハイブリッドを作成した。【００６３】
ニコチアナ・アンブラチカ（１９６７年  米国  Ｅ．Ｌ．Ｍｏｏｒｅ博士より入手）を種子親として、ニコチアナ・カワカミイ（１９７６年  京都大学中央アンデス学術調査隊より入手）を花粉親として、公知の方法で交配を行った。種子親と花粉親を入れ替えた場合でも目的とするＦ１ハイブリッドが得られた。以下、本実施例においては、ニコチアナ・アンブラチカを種子親として、ニコチアナ・カワカミイを花粉親とした場合を例として詳述する。【００６４】
得られたニコチアナ・アンブラチカとニコチアナ・カワカミイとのＦ１ハイブリッドをＪＴ葉たばこ研究所（栃木県小山市）の降雨遮断圃場で栽培した（堆肥：１０００ｋｇ／１０ａ、化成肥料（アグリ６２２）：１００ｋｇ／１０ａ（６ｋｇＮ／１０ａ）、過リン酸石灰：８０ｋｇ／１０ａ、草木灰：３０ｋｇ／１０ａ）。畦立て後はイワタニリバースマルチ銀黒タイプ（岩谷マテリアル株式会社（東京都中央区）より入手）により被覆し、株間４０ｃｍに移植し、潅水チューブにより全期間で５回程度潅水した。比較例として、ニコチアナ・アンブラチカおよびニコチアナ・カワカミイも同様に栽培した。【００６５】
Ｆ１ハイブリッド、ニコチアナ・アンブラチカおよびニコチアナ・カワカミイの各々について５株ずつ栽培し、図１および図２の各項目について評価した。特に記載のない項目については、Ｆ１ハイブリッド、ニコチアナ・アンブラチカおよびニコチアナ・カワカミイの各々についての平均値を示す。特に記載のない項目については、播種後約９０日における評価である。【００６６】
食葉性害虫に対する耐虫性は、タバコの葉を配置した網かごの中に放虫し、１日後に残っている葉の面積を比較することにより評価した。【００６７】
（１）収量（地上部の乾燥前重量）
図１のＦ１ハイブリッド、ニコチアナ・アンブラチカおよびニコチアナ・カワカミイの各株の収量を図３の棒グラフに示す。「地上部の収量」は、移植後約５０日において、地上３ｃｍ程度の位置で個体から切り離した地上部の乾燥前重量を意味する。なお、この場合において花部は一部の茎部とともに除去されている。ニコチアナ・アンブラチカと比較して、Ｆ１ハイブリッドの株あたりの地上部の収量は、約２倍であった。【００６８】
（２）花の除去の容易性および葉の収穫の容易性
図１の「草丈」および図２の植物体全体の写真から理解される通り、Ｆ１ハイブリッド、ニコチアナ・アンブラチカよりも草丈が長い。移植後約５０日の「花数」を図４の棒グラフに示す。ニコチアナ・アンブラチカと比較して、Ｆ１ハイブリッドの株当たりの花数は約１／５と顕著に減少した。草丈に対する最下部の花の高さの割合（％）を図５の棒グラフに示す。ニコチアナ・アンブラチカでは草丈の約２０％よりも下から上部にかけて広く花が分布していたが、Ｆ１ハイブリッドでは草丈の６０％よりも上部にしか花が局在しなかった。図１の「花数」「最下部の花の高さ」「最下部の花の高さ／草丈」、および図４、図５に示される通り、本発明のＦ１ハイブリッドは、ニコチアナ・アンブラチカと比較して、花の数が少なく、かつ、上部に局在しているため、花の除去が容易である。【００６９】
さらに分枝数もニコチアナ・アンブラチカよりも少なくて葉数と同程度であり、かつ、わき芽の伸長程度もニコチアナ・アンブラチカよりは低かった。よって、本発明のＦ１ハイブリッドは、葉の収穫がニコチアナ・アンブラチカよりも容易である。【００７０】
実施例２  ニコチアナ・アンブラチカとニコチアナ・カワカミイとのＦ１ハイブリッドの食葉性害虫に対する耐虫性
本実施例では、本発明のニコチアナ・アンブラチカとニコチアナ・カワカミイとのＦ１ハイブリッドのタバコガ（Ｈｅｌｉｃｏｖｅｒｐａ  ａｓｓｕｌｔａ）の食害に対する耐虫性を調べた。下記の実施例２−１〜２−４に記載の各株の若い葉をタバコガの幼虫２０〜３０匹とともに幅４０ｃｍ×奥行４０ｃｍ×高さ４０ｃｍの網カゴに入れ、１日後に残っている葉の面積を開始前と比較し、摂食の品種選択性を調査した。調査は２０１７年７月、ＪＴ葉たばこ研究所（栃木県小山市、日本）において、直射日光の当たらない窓付きの屋内で実施し、室温は約２５℃に設定した。実施例２−１〜２−４では、比較例の種類、配置等の摂食の品種選択性への影響をなくす（最小限に留める）ために、比較例として使用する品種の数、配置を変更した。【００７１】
（１）実施例２−１
実施例２−１では、Ｆ１ハイブリッドの他に、比較例として、ニコチアナ・アンブラチカ、ニコチアナ・カワカミイおよび栽培種タバコ（品種：たいへい）の３種類の葉を図６のように配置した。放虫前を１００としたときの放虫１日後の葉の面積（％）を図７に示す。タバコガの幼虫は、各品種の葉を選択的に摂食した。すなわち、ニコチアナ・カワカミイの葉はほぼ完全に食べ尽くされたのに対してニコチアナ・アンブラチカでは７０％以上が残り、Ｆ１ハイブリッドは１日後でもほぼ無傷の状態であった。栽培種タバコ（品種：たいへい）では約５０％が残った。【００７２】
（２）実施例２−２
実施例２−２では、Ｆ１ハイブリッドの他に、比較例として、ニコチアナ・アンブラチカおよび栽培種タバコ（品種：たいへい）の２種類の葉を図８のように配置した。放虫前を１００としたときの放虫１日後の葉の面積（％）を図９に示す。タバコガの幼虫は、各品種の葉を選択的に摂食した。すなわち、たいへいの葉は８０％程度摂食されたのに対して、ニコチアナ・アンブラチカでは摂食されたのは２０％未満で８０％以上が残り、Ｆ１ハイブリッドは１日後でもほぼ無傷の状態であった。【００７３】
（３）実施例２−３
実施例２−３では、Ｆ１ハイブリッドの他に、比較例として、ニコチアナ・アンブラチカおよびニコチアナ・カワカミイの２種類の葉を図１０のように配置した。放虫前を１００としたときの放虫１日後の葉の面積（％）を図１１に示す。タバコガの幼虫は、各品種の葉を選択的に摂食した。すなわち、ニコチアナ・カワカミイの葉はほぼ完全に食べ尽くされたのに対してニコチアナ・アンブラチカでは７０％以上が残り、Ｆ１ハイブリッドは１日後でもほぼ無傷の状態であった（残った葉の面積が８０％以上）。【００７４】
（４）実施例２−４
実施例２−２では、Ｆ１ハイブリッドの他に、比較例として、ニコチアナ・アンブラチカの葉を図１２のように配置した。放虫前を１００としたときの放虫１日後の葉の面積（％）を図１３に示す。タバコガの幼虫は、各品種の葉を選択的に摂食した。すなわち、Ｆ１ハイブリッドは１日後でもほぼ無傷の状態であった（残った葉の面積が８７．２％）。ニコチアナ・アンブラチカもあまり摂食されなかったが、Ｆ１ハイブリッドよりは有意に摂食された（残った面積が７６．８％で、Ｆ１ハイブリッドよりも１０％以上低い。）【００７５】
実施例２−１〜実施例２−４に示されたように、本発明のＦ１ハイブリッドは、タバコガの幼虫による食害に対する抵抗性が、ニコチアナ・カワカミイよりも著しく強く、さらに、ニコチアナ・アンブラチカよりも有意に強いことが明らかになった。【００７６】
実施例３  ニコチアナ・アンブラチカとニコチアナ・カワカミイとのＦ１ハイブリッドの成分分析【００７７】
本実施例では、ＧＣ／ＭＳを用いてニコチアナ・アンブラチカとニコチアナ・カワカミイとのＦ１ハイブリッドＦ１の成分分析を行った。比較例として、ニコチアナ・アンブラチカを用いた。【００７８】
［手順］
・植物体から切り離したばかりの葉４ｇを５０ｍＬ容遠沈管に入れる。
・ヘキサン２０ｍＬを加えて２００ｒｐｍ、６０分間振とう抽出を行う。
・振とう後、遠沈管の内容物を濾紙で濾過し、濾液に硫酸ナトリウムを適量加えて３０分静置し脱水する。
−脱水後の液を再び濾過したのちにバイアルに封入して分析サンプルとし、ＧＣ（ガスクロマトグラフィー）を行う。
−得られたトータルイオンクロマトグラムを解析し、対象成分テルペン化合物Ａ（ＲＩ（Ｒｅｔｅｎｔｉｏｎ  ｉｎｄｅｘ）１６１７）（１−イソプロピル−５−（ヒドロキシメチル）−８−メチルトリシクロ［４．４．０．０２，８］デカ−４−エン）の量について相対比較を行う。なお、内部標準物質はｎ−エイコサンを使用し、その分析測定値と各々のテルペン化合物Ａの分析測定値の比（内部標準物質比）を算出し、各々のテルペン化合物Ａの量とした。【００７９】
［分析条件］
機器：Ａｇｉｌｅｎｔ  ５９７７Ｂ  シリーズ  ＧＣ／ＭＳＤシステム（７９８０Ｂ  ＧＣ／５９７７Ｂ  ＭＳＤ）
カラム：ＨＰ−１ＭＳ（型番１９０９１Ｓ−７３３、長さ（ｍ）３０×内径（ｍｍ）０．２５×膜厚（ｕｍ）１．００）
昇温プログラム：４０℃を１分、５℃／分で４０−２００℃、１℃／分で２００−２２０℃、５℃／分で２２０−３００℃、３００℃を２１分
注入口：スプリットレス、１ｕＬ、３００℃
検出器：Ｓｃａｎモード  （ｍ／ｚ  ４０〜４００）【００８０】
テルペン化合物Ａ（１−イソプロピル−５−（ヒドロキシメチル）−８−メチルトリシクロ［４．４．０．０２，８］デカ−４−エン）は、ニコチアナ・アンブラチカにおいて、特徴的な香り（タバコとして好ましい香り）に寄与する成分である。上記成分分析の結果、図１４に示す通り、テルペン化合物Ａの量（内部標準物質比）がニコチアナ・アンブラチカでは０．８５であるのに対して、Ｆ１ハイブリッドでは０．９８であった。よって、Ｆ１ハイブリッドはニコチアナ・アンブラチカと比較して、特徴的な香り（タバコとして好ましい香り）に寄与する成分が、減少しないことが確認された。
【図１】
0006917478.tif 000002
【図２】
0006917478.tif 000003
【図３】
0006917478.tif 000004
【図４】
0006917478.tif 000005
【図５】
0006917478.tif 000006
【図６】
0006917478.tif 000007
【図７】
0006917478.tif 000008
【図８】
0006917478.tif 000009
【図９】
0006917478.tif 000010
【図１０】
0006917478.tif 000011
【図１１】
0006917478.tif 000012
【図１２】
0006917478.tif 000013
【図１３】
0006917478.tif 000014
【図１４】
0006917478.tif 000015